(57)【特許請求の範囲】
【請求項１】
識別体から識別情報を含む情報を読み取る複数の読取装置と、
前記複数の読取装置が当該識別体から情報を読み取った際の受信強度の各々に基づいて当該識別体の位置を把握し、前記複数の読取装置が当該識別体とは異なる識別体から情報を読み取った際の受信強度の各々に基づいて当該識別体とは異なる識別体の位置を把握し、当該識別体の位置との距離が予め設定された距離よりも短い識別体の数に基づいて当該識別体に対応した利用者の異常を検知する際の条件を設定し、前記複数の読取装置の少なくとも一方により読み取られた情報に基づいて当該識別体の状態を把握し、当該識別体の状態が当該識別体に対応した利用者の異常を検知する際の条件を満たした場合に当該利用者の異常を検知する検知装置と、
を備えた安否確認システム。
【請求項２】
前記検知装置は、当該識別体との距離が予め設定された距離よりも短い識別体の数に基づいて当該識別体に対応した利用者の異常を検知する際の時間間隔を変更する請求項１に記載の安否確認システム。
【請求項３】
前記検知装置は、当該識別体との距離が予め設定された距離よりも短い識別体の数が予め設定された数以上の場合は当該識別体に対応した利用者の異常を検知しない請求項１または請求項２に記載の安否確認システム。
【請求項４】
前記読取装置は、識別体から識別情報と属性情報とを含む情報を読み取り、
前記検知装置は、当該識別体と同じ属性で当該識別体との距離が予め設定された距離よりも短い識別体の数に基づいて当該識別体に対応した利用者の異常を検知する際の条件を設定する請求項１に記載の安否確認システム。
【請求項５】
前記検知装置は、当該識別体と同じ属性で当該識別体との距離が予め設定された距離よりも短い識別体の数に基づいて当該識別体に対応した利用者の異常を検知する際の時間間隔を変更する請求項４に記載の安否確認システム。
【請求項６】
前記検知装置は、当該識別体と同じ属性で当該識別体との距離が予め設定された距離よりも短い識別体の数が予め設定された数以上の場合は当該識別体に対応した利用者の異常を検知しない請求項４または請求項５に記載の安否確認システム。
【発明の詳細な説明】
【技術分野】
【０００１】
この発明は、安否確認システムに関する。
【背景技術】
【０００２】
特許文献１は、安否確認システムを開示する。当該安否確認システムは、識別体が予め設定された時間だけ継続して静止していることを検知した際に利用者の異常を検知する。
【先行技術文献】
【特許文献】
【０００３】
【特許文献１】特開２０１２−６３９７８号公報
【発明の概要】
【発明が解決しようとする課題】
【０００４】
しかしながら、特許文献１に記載のものにおいては、動きの少ない作業を行っている利用者が予め設定された時間だけ継続して静止している場合に、当該利用者の異常が誤って検知される。
【０００５】
この発明は、上述の課題を解決するためになされた。この発明の目的は、利用者の状態に応じて利用者の異常を適切に検知することができる安否確認システムを提供することである。
【課題を解決するための手段】
【０００７】
この発明に係る安否確認システムは、識別体から識別情報を含む情報を読み取る複数の読取装置と、前記複数の読取装置が当該識別体から情報を読み取った際の受信強度の各々に基づいて当該識別体の位置を把握し、前記複数の読取装置が当該識別体とは異なる識別体から情報を読み取った際の受信強度の各々に基づいて当該識別体とは異なる識別体の位置を把握し、当該識別体との距離が予め設定された距離よりも短い識別体の数に基づいて当該識別体に対応した利用者の異常を検知する際の条件を設定し、前記複数の読取装置の少なくとも一方により読み取られた情報に基づいて当該識別体の状態を把握し、当該識別体の状態が当該識別体に対応した利用者の異常を検知する際の条件を満たした場合に当該利用者の異常を検知する検知装置と、を備えた。
【発明の効果】
【０００８】
これらの発明によれば、識別体の状態に応じて、当該識別体に対応した利用者の異常を検知する際の条件が設定される。このため、利用者の状態に応じて利用者の異常を適切に検知することができる。
【図面の簡単な説明】
【０００９】
【図１】この発明の実施の形態１における安否確認システムが適用された部屋の縦断面図である。
【図２】この発明の実施の形態１における安否確認システムの構成図である。
【図３】この発明の実施の形態１における安否確認システムのハードウェア構成図である。
【図４】この発明の実施の形態１における安否確認システムにおける異常検知条件を説明するための図である。
【図５】この発明の実施の形態１における安否確認システムの検知装置の動作を説明するためのフローチャートである。
【図６】この発明の実施の形態２における安否確認システムが適用された部屋の縦断面図である。
【図７】この発明の実施の形態２における安否確認システムの構成図である。
【図８】この発明の実施の形態２における安否確認システムにおける異常検知条件を説明するための図である。
【図９】この発明の実施の形態２における安否確認システムの検知装置の動作を説明するためのフローチャートである。
【図１０】この発明の実施の形態３における安否確認システムの構成図である。
【図１１】この発明の実施の形態３における安否確認システムの検知装置の動作を説明するためのフローチャートである。
【発明を実施するための形態】
【００１０】
この発明を実施するための形態について添付の図面に従って説明する。なお、各図中、同一又は相当する部分には、同一の符号が付される。当該部分の重複説明は適宜に簡略化又は省略化される。
【００１１】
実施の形態１．
図１はこの発明の実施の形態１における安否確認システムが適用された部屋の縦断面図である。
【００１２】
図１において、部屋１は、床２と壁３と天井４とを備える。出入口５は、壁３に形成される。例えば、読取装置６は、部屋１の内部において天井４に設けられる。例えば、読取装置６は、タグリーダからなる。検知装置７は、読取装置６に接続される。部屋１の利用者は、識別体８を携帯する。例えば、識別体８は、タグからなる。識別体８は、ボタン８ａを備える。
【００１３】
部屋１の内部において、読取装置６は、質問信号を無線通信により送信する。識別体８は、当該質問信号に基づいて識別情報と識別体８の動きに関する情報とボタン８ａの操作の有無の情報とを含む応答信号を無線通信により送信する。読取装置６は、当該応答信号から識別情報等を含む情報を読み取る。
【００１４】
検知装置７は、読取装置６により読み取られた情報に含まれた識別情報に基づいて当該識別体８に対応した利用者の異常を検知する際の条件を設定する。検知装置７は、読取装置６に読み取られた情報に基づいて当該識別体８の状態を把握する。例えば、検知装置７は、当該識別体８の動きを把握する。例えば、検知装置７は、当該識別体８のボタン８ａが操作されたことを把握する。検知装置７は、当該識別体８の状態が当該識別体８の異常を検知する際の条件を満たした場合に当該識別体８に対応した利用者の異常を検知する。
【００１５】
次に、図２を用いて、安否確認システムを説明する。
図２はこの発明の実施の形態１における安否確認システムの構成図である。
【００１６】
図２に示すように、検知装置７は、異常検知条件記憶部７ａと状態把握部７ｂと異常検知部７ｃとを備える。
【００１７】
異常検知条件記憶部７ａは、識別情報と異常検知条件に関する情報とを対応付けて記憶する。状態把握部７ｂは、読取装置６により読み取られた情報に基づいて当該識別体８の状態を把握する。異常検知部７ｃは、異常検知条件記憶部７ａに記憶された異常検知条件と状態把握部７ｂにより把握された当該識別体８の状態とに基づいて当該識別体８に対応した利用者の異常を検知する。
【００１８】
次に、図３を用いて、検知装置７の一例を説明する。
図３はこの発明の実施の形態１における安否確認システムのハードウェア構成図である。
【００１９】
図３に示すように、検知装置７は、処理回路９を備える。処理回路９は、少なくとも一つのプロセッサ９ａと少なくとも一つのメモリ９ｂとを備える。検知装置７の各部の動作は、少なくとも一つのプロセッサ９ａが少なくとも一つのメモリ９ｂに記憶されたプログラムを実行することにより実現される。
【００２０】
次に、図４を用いて、異常検知条件を説明する。
図４はこの発明の実施の形態１における安否確認システムにおける異常検知条件を説明するための図である。
【００２１】
図４に示すように、識別情報「００１」の異常検知条件は、「１０分間継続して動きがない」である。識別情報「００２」の異常検知条件は、「２０分間継続して動きがない」である。識別情報「００３」の異常検知条件は、「１０分間継続してボタンの操作がない」である。
【００２２】
次に、図５を用いて、検知装置７の動作を説明する。
図５はこの発明の実施の形態１における安否確認システムの検知装置の動作を説明するためのフローチャートである。
【００２３】
ステップＳ１では、検知装置７は、検知された識別体８の識別情報が「００１」か否かを判定する。
【００２４】
ステップＳ１で検知された識別体８の識別情報が「００１」の場合は、ステップＳ２に進む。ステップＳ２では、検知装置７は、当該識別体８において「１０分間継続して動きがない」との条件が満たされるか否かを判定する。
【００２５】
ステップＳ２で当該識別体８において「１０分間継続して動きがない」との条件が満たされない場合は、ステップＳ２が繰り返される。ステップＳ２で当該識別体８において「１０分間継続して動きがない」との条件が満たされる場合は、ステップＳ３に進む。
【００２６】
ステップＳ３では、検知装置７は、異常検知処理を行う。その後、動作が終了する。
【００２７】
ステップＳ１で検知された識別体８の識別情報が「００１」でない場合は、ステップＳ４に進む。ステップＳ４では、検知装置７は、検知された識別体８の識別情報が「００２」か否かを判定する。
【００２８】
ステップＳ４で検知された識別体８の識別情報が「００２」の場合は、ステップＳ５に進む。ステップＳ５では、検知装置７は、当該識別体８において「２０分間継続して動きがない」との条件が満たされるか否かを判定する。
【００２９】
ステップＳ５で当該識別体８において「２０分間継続して動きがない」との条件が満たされない場合は、ステップＳ５が繰り返される。ステップＳ５で当該識別体８において「２０分間継続して動きがない」との条件が満たされる場合は、ステップＳ６に進む。
【００３０】
ステップＳ６では、検知装置７は、異常検知処理を行う。その後、動作が終了する。
【００３１】
ステップＳ４で検知された識別体８の識別情報が「００２」でない場合は、ステップＳ７に進む。ステップＳ７では、検知装置７は、検知された識別体８の識別情報が「００３」か否かを判定する。
【００３２】
ステップＳ７で検知された識別体８の識別情報が「００３」の場合は、ステップＳ８に進む。ステップＳ８では、検知装置７は、当該識別体８において「１０分間継続してボタンの操作がない」との条件が満たされるか否かを判定する。
【００３３】
ステップＳ８で当該識別体８において「１０分間継続してボタンの操作がない」との条件が満たされない場合は、ステップＳ８が繰り返される。ステップＳ８で当該識別体８において「１０分間継続してボタンの操作がない」との条件が満たされる場合は、ステップＳ９に進む。
【００３４】
ステップＳ９では、検知装置７は、異常検知処理を行う。その後、動作が終了する。
【００３５】
ステップＳ７で検知された識別体８の識別情報が「００３」でない場合は、検知装置７は、識別情報が「００４」以降の識別情報の識別体８に対する異常判定を行う。
【００３６】
以上で説明した実施の形態１によれば、識別体８の状態に応じて、識別体８に対応した利用者の異常を検知する際の条件が設定される。具体的には、識別情報に基づいて、識別体８に対応した利用者の異常を検知する際の時間間隔が変更される。このため、利用者の状態に応じて利用者の異常を適切に検知することができる。その結果、動作の多い利用者と動作の少ない利用者との双方に対し、より利便性の高い安否確認システムを得ることができる。
【００３７】
実施の形態２．
図６はこの発明の実施の形態２における安否確認システムが適用された部屋の縦断面図である。なお、実施の形態１の部分と同一又は相当部分には同一符号が付される。当該部分の説明は省略される。
【００３８】
図６において、複数の読取装置６は、部屋１の内部に設けられる。例えば、複数の読取装置６は、天井４に設けられる。
【００３９】
部屋１の内部において、各読取装置６は、複数の識別体８の各々から識別情報等を含む情報を読み取る。
【００４０】
検知装置７は、複数の読取装置６が情報を読み取った際の受信強度の各々に基づいて各識別体８の位置を把握する。検知装置７は、異常検知の対象となる識別体８との距離が予め設定された距離よりも短い識別体８の数を把握する。検知装置７は、把握した数に基づいて異常検知の対象となる識別体８に対応した利用者の異常を検知する際の条件を設定する。検知装置７は、複数の読取装置６の少なくとも一方により読み取られた情報に基づいて異常検知の対象となる識別体８の状態を把握する。検知装置７は、異常検知の対象となる識別体８の状態が当該識別体８に対応した利用者の異常を検知する際の条件を満たした場合に当該識別体８に対応した利用者の異常を検知する。
【００４１】
次に、図７を用いて、安否確認システムを説明する。
図７はこの発明の実施の形態２における安否確認システムの構成図である。
【００４２】
図７において、異常検知条件記憶部７ａは、識別体８の数に関する情報と異常検知条件に関する情報とを対応付けて記憶する。状態把握部７ｂは、複数の読取装置６により読み取られた情報に基づいて各識別体８の位置と状態とを把握する。異常検知部７ｃは、異常検知条件記憶部７ａに記憶された異常検知条件と状態把握部７ｂにより把握された識別体８の位置と状態とに基づいて識別体８に対応した利用者の異常を検知する。
【００４３】
次に、図８を用いて、異常検知条件を説明する。
図８はこの発明の実施の形態２における安否確認システムにおける異常検知条件を説明するための図である。
【００４４】
図８に示すように、識別体８の数が「１」の際の異常検知条件は、「１０分間継続して動きがない」である。識別体８の数が「２」の際の異常検知条件は、「２０分間継続して動きがない」である。識別体８の数が「３」または「４」の際の異常検知条件は、「３０分間継続して動きがない」である。タグの数が「５以上」の際の異常検知条件は、「検知しない」である。
【００４５】
次に、図９を用いて、検知装置７の動作を説明する。
図９はこの発明の実施の形態２における安否確認システムの検知装置の動作を説明するためのフローチャートである。
【００４６】
ステップＳ１１では、検知装置７は、当該識別体８との距離が予め設定された距離よりも短い識別体８の数が１個であるか否かを判定する。例えば、検知装置７は、当該識別体８を中心として半径２ｍの範囲の内部に存在する識別体８の数が１個であるか否かを判定する。
【００４７】
ステップＳ１１で当該識別体８を中心として半径２ｍの範囲の内部に存在する識別体８の数が１個である場合は、ステップＳ１２に進む。ステップＳ１２では、検知装置７は、当該識別体８において「１０分間継続して動きがない」との条件が満たされるか否かを判定する。
【００４８】
ステップＳ１２で当該識別体８において「１０分間継続して動きがない」との条件が満たされない場合は、ステップＳ１２が繰り返される。ステップＳ１２で当該識別体８において「１０分間継続して動きがない」との条件が満たされる場合は、ステップＳ１３に進む。
【００４９】
ステップＳ１３では、検知装置７は、異常検知処理を行う。その後、動作が終了する。
【００５０】
ステップＳ１１で当該識別体８を中心として半径２ｍの範囲の内部に存在する識別体８の数が１個でない場合は、ステップＳ１４に進む。ステップＳ１４では、検知装置７は、当該識別体８を中心として半径２ｍの範囲の内部に存在する識別体８の数が２個であるか否かを判定する。
【００５１】
ステップＳ１４で当該識別体８を中心として半径２ｍの範囲の内部に存在する識別体８の数が２個である場合は、ステップＳ１５に進む。ステップＳ１５では、検知装置７は、当該識別体８において「２０分間継続して動きがない」との条件が満たされるか否かを判定する。
【００５２】
ステップＳ１５で当該識別体８において「２０分間継続して動きがない」との条件が満たされない場合は、ステップＳ１５が繰り返される。ステップＳ１５で当該識別体８において「２０分間継続して動きがない」との条件が満たされる場合は、ステップＳ１６に進む。
【００５３】
ステップＳ１６では、検知装置７は、異常検知処理を行う。その後、動作が終了する。
【００５４】
ステップＳ１４で当該識別体８を中心として半径２ｍの範囲の内部に存在する識別体８の数が２個でない場合は、ステップＳ１７に進む。ステップＳ１７では、検知装置７は、当該識別体８を中心として半径２ｍの範囲の内部に存在する識別体８の数が３個または４個であるか否かを判定する。
【００５５】
ステップＳ１７で当該識別体８を中心として半径２ｍの範囲の内部に存在する識別体８の数が３個または４個である場合は、ステップＳ１８に進む。ステップＳ１８では、検知装置７は、当該識別体８において「３０分間継続して動きがない」との条件が満たされるか否かを判定する。
【００５６】
ステップＳ１８で当該識別体８において「３０分間継続して動きがない」との条件が満たされない場合は、ステップＳ１８が繰り返される。ステップＳ１８で当該識別体８において「３０分間継続して動きがない」との条件が満たされる場合は、ステップＳ１９に進む。
【００５７】
ステップＳ１９では、検知装置７は、異常検知処理を行う。その後、動作が終了する。
【００５８】
ステップＳ１７で当該識別体８を中心として半径２ｍの範囲の内部に存在する識別体８の数が３個または４個でない場合は、動作が終了する。
【００５９】
以上で説明した実施の形態２によれば、識別体８の状態に応じて、識別体８に対応した利用者の異常を検知する際の条件が設定される。具体的には、異常検知の対象となる識別体８との距離が予め設定された距離よりも短い識別体８の数に基づいて、異常検知の対象となる識別体８に対応した利用者の異常を検知する際の時間間隔が変更される。このため、利用者の状態に応じて利用者の異常を適切に検知することができる。
【００６０】
また、異常検知の対象となる識別体８との距離が予め設定された距離よりも短い識別体８の数が予め設定された数以上の場合、安否確認システムは、異常検知の対象となる識別体８に対応した利用者の異常を検知しない。このため、複数の利用者が互いに安否を確認できる状況の場合に、安否確認システムにおける計算の負荷を小さくすることができる。
【００６１】
実施の形態３．
図１０はこの発明の実施の形態３における安否確認システムの構成図である。なお、実施の形態２の部分と同一又は相当部分には同一符号が付される。当該部分の説明は省略される。
【００６２】
図１０に示すように、実施の形態３の安否確認システムは、実施の形態２の安否確認システムに個人情報記憶部７ｄを付加したものである。個人情報記憶部７ｄは、識別情報と属性情報とを対応付けて記憶する。例えば、属性情報は、利用者が所属する部署に関する情報からなる。
【００６３】
各読取装置６は、複数の識別体８の各々から少なくとも識別情報と属性情報とを含む情報を読み取る。検知装置７は、当該識別体８と同じ属性で当該識別体８との距離が予め設定された距離よりも短い識別体８の数に基づいて当該識別体８に対応した利用者の異常を検知する際の条件を設定する。
【００６４】
次に、図１１を用いて、検知装置７の動作を説明する。
図１１はこの発明の実施の形態３における安否確認システムの検知装置の動作を説明するためのフローチャートである。
【００６５】
ステップＳ２１では、検知装置７は、当該識別体８と同じ属性で半径２ｍの範囲の内部に存在する識別体８の数が１個であるか否かを判定する。
【００６６】
ステップＳ２１で当該識別体８と同じ属性で当該識別体８を中心として半径２ｍの範囲の内部に存在する識別体８の数が１個である場合は、ステップＳ１２以降の動作が行われる。ステップＳ２１で当該識別体８と同じ属性で当該識別体８を中心として半径２ｍの範囲の内部に存在する識別体８の数が１個でない場合は、ステップＳ２２に進む。
【００６７】
ステップＳ２２では、検知装置７は、当該識別体８と同じ属性で半径２ｍの範囲の内部に存在する識別体８の数が２個であるか否かを判定する。
【００６８】
ステップＳ２２で当該識別体８と同じ属性で当該識別体８を中心として半径２ｍの範囲の内部に存在する識別体８の数が２個である場合は、ステップＳ１５以降の動作が行われる。ステップＳ２２で当該識別体８と同じ属性で当該識別体８を中心として半径２ｍの範囲の内部に存在する識別体８の数が２個でない場合は、ステップＳ２３に進む。
【００６９】
ステップＳ２３では、検知装置７は、当該識別体８と同じ属性で半径２ｍの範囲の内部に存在する識別体８の数が３個または４個であるか否かを判定する。
【００７０】
ステップＳ２３で当該識別体８と同じ属性で当該識別体８を中心として半径２ｍの範囲の内部に存在する識別体８の数が３個または４個である場合は、ステップＳ１８以降の動作が行われる。ステップＳ２３で当該識別体８と同じ属性で当該識別体８を中心として半径２ｍの範囲の内部に存在する識別体８の数が３個または４個でない場合は、動作が終了する。
【００７１】
以上で説明した実施の形態３によれば、異常検知の対象となる識別体８と同じ属性で異常検知の対象となる識別体８との距離が予め設定された距離よりも短い識別体８の数に基づいて、異常検知の対象となる識別体８に対応した利用者の異常を検知する際の時間間隔が変更される。このため、異常検知の対象となる識別体８に対応した利用者と異なる属性の利用者が通り過ぎただけの際に異常検知の対象となる識別体８に対応した利用者の異常の検知が遅れることを防止できる。
【００７２】
また、異常検知の対象となる識別体８と同じ属性で異常検知の対象となる識別体８との距離が予め設定された距離よりも短い識別体８の数が予め設定された数以上の場合、安否確認システムは、異常検知の対象となる識別体８に対応した利用者の異常を検知しない。このため、複数の利用者が互いに安否を確認できる状況の場合に、安否確認システムにおける計算の負荷を小さくすることができる。
【符号の説明】
【００７３】
１  部屋、  ２  床、  ３  壁、  ４  天井、  ５  出入口、  ６  読取装置、  ７  検知装置、  ７ａ  異常検知条件記憶部、  ７ｂ  状態把握部、  ７ｃ  異常検知部、  ７ｄ  個人情報記憶部、  ８  識別体、  ８ａ  ボタン  ９  処理回路、  ９ａ  プロセッサ、  ９ｂ  メモリ
【図１】
0006459734.tif 000002
【図２】
0006459734.tif 000003
【図３】
0006459734.tif 000004
【図４】
0006459734.tif 000005
【図５】
0006459734.tif 000006
【図６】
0006459734.tif 000007
【図７】
0006459734.tif 000008
【図８】
0006459734.tif 000009
【図９】
0006459734.tif 000010
【図１０】
0006459734.tif 000011
【図１１】
0006459734.tif 000012